(57)【特許請求の範囲】
【請求項１】
周部に円錐状の斜面部を形成した風防ガラスと、この風防ガラスの斜面部と同一の角度の円錐状の斜面部を有するガラス押えリングと、このガラス押えリングを押える押え手段とを備え、前記風防ガラスと前記ガラス押えリングとを時計ケースに組み込み、このガラス押えリングを前記押え手段で押えて、このガラス押えリングの前記斜面部を前記風防ガラスの前記斜面部に圧接させる際、前記時計ケースに設けた逃げ溝により、前記ガラス押えリングの径方向の変位を吸収することを特徴とする時計の風防ガラス固定構造。
【請求項２】
前記押え手段が、前記時計ケースのねじ部に螺合されたリング押え部材である請求項１記載の時計の風防ガラス固定構造。
【請求項３】
前記ガラス押えリングが、ねじ、圧入、カシメ、食い付き、溶接のいずれかで前記時計ケースに固定されている請求項１記載の時計の風防ガラス固定構造。
【発明の詳細な説明】
【０００１】
【産業上の利用分野】
本発明は、腕時計のような時計の風防ガラス固定構造に関するものである。
【０００２】
【従来の技術】
従来のこの種の風防ガラス固定構造として実開昭６１−２０５０９２号公報に開示された技術がある。この開示技術にあっては、図６の（１）に示すように風防ガラス４０の周部には押え部４１が形成してあり、この押え部４１は段部４２の水平面部で形成してある。
【０００３】
そして、前記風防ガラス４０の周部を時計ケース４３のガラス支持部４４に受け部材４５を介して載置し、時計ケース４３のねじ部４６にガラス押えリング４７を螺装し、このガラス押えリング４７でパッキン４８を介して前記風防ガラス４０の周部の押え部４１を押えることにより前記風防ガラス４０が前記時計ケース４３に固定されている。
【０００４】
【発明が解決しようとする課題】
しかしながら、前記風防ガラス４０の押え部４１が段部４２の水平面部で形成してあるために、この押え部４１において、図６の（２）に示すように風防ガラス４０の肉厚が極端に薄くなり、且つ押え部４１の基部、すなわち段部４２には常に力が加っており、外部からの衝撃や高圧力により隅部４２ａに割れ５０が発生し、風防ガラス４０の強度に不安を残していた。また、押え部４１が段部４２の水平面部であるために、加工性が悪いという問題点があった。
【０００５】
本発明は、上記の問題点に着目して成されたものであって、その目的とするところは、風防ガラスの強度が向上し、風防ガラスの押え部位の加工性が向上する時計の風防ガラス固定構造を提供することにある。
【０００６】
【課題を解決するための手段】
上記の目的を達成するために、本発明に係わる時計の風防ガラス固定構造は、周部に円錐状の斜面部を形成した風防ガラスと、この風防ガラスの斜面部と同一の角度の円錐状の斜面部を有するガラス押えリングと、このガラス押えリングを押える押え手段とを備え、前記風防ガラスと前記ガラス押えリングとを時計ケースに組み込み、このガラス押えリングを前記押え手段で押えて、このガラス押えリングの前記斜面部を前記風防ガラスの前記斜面部に圧接させる際、前記時計ケースに設けた逃げ溝により、前記ガラス押えリングの径方向の変位を吸収することを特徴とする。
【０００７】
そして、前記押え手段が、前記時計ケースのねじ部に螺合されたリング押え部材であってもよい。
【０００８】
また、前記ガラス押えリングが、ねじ、圧入、カシメ、食い付き、溶接のいずれかで前記時計ケースに固定されていることが好ましい。
【０００９】
【作用】
かかる構成により、前記ガラス押えリングを前記押え手段で押えて、このガラス押えリングの前記斜面部を前記風防ガラスの前記斜面部に圧接させて高気圧防水を確実なものにする。
【００１０】
しかも、前記風防ガラスの前記ガラス押えリングにより押えられる部位が、前記風防ガラス周部の円錐状の斜面部であるために、この押えられる部位において風防ガラスの肉厚が極端に薄くなることがない。このために、風防ガラスに割れが発生することがなくなり、風防ガラスの強度を向上させることができる。また、前記風防ガラスの前記ガラス押えリングにより押えられる部位が円錐状の斜面部であるために加工性が向上する。
【００１１】
そして、前記押え手段が、前記時計ケースのねじ部に螺合されたリング押え部材であることにより、このリング押え部材を回転させて捩じ込むことで前記ガラス押えリングを上下方向に圧縮して前記斜面部の前記風防ガラスの斜面部への圧接（径方向及び軸方向への圧接）を維持し、高気圧防水を確実なものにする。
【００１２】
また、前記時計ケースに前記ガラス押えリングの径方向の変位を吸収する逃げ溝を設けることにより、前記ガラス押えリングが上下方向に圧縮されて半径方向に伸びて、このガラス押えリングの外周部が外方に変位するが、この変位分を前記逃げ部で吸収することができて、前記ガラス押えリングの上下方向の圧縮を可能にし、前記斜面部の前記風防ガラスの斜面部への圧接（径方向及び軸方向への圧接）を維持し、高気圧防水を確実なものにする。
【００１３】
また、前記ガラス押えリングが、ねじ、圧入、カシメ、食い付き、溶接のいずれかで前記時計ケースに固定されることにより、高気圧防水を確実なものにする防風ガラスの固定が簡単になる。
【００１４】
【実施例】
以下、本発明の実施例を図面に基づいて説明する。
【００１５】
（実施例１）
図１は本発明の風防ガラス固定構造（実施例１）を備えた腕時計の一部省略した断面図、図２は風防ガラスの一部省略した断面図、図３はリング押え部材の一部省略した断面図、図４はガラス押えリングの一部省略した断面図である。
【００１６】
携帯時計である腕時計Ａは、時計ケース（胴）１内にモジュール２を設け、この時計ケース１の下部に裏蓋３を装着し、時計ケース１の上部に風防ガラス４をガラス固定機構５により固定し、時計ケース１の外側にレジスターリング６を設けて構成されている。
【００１７】
すなわち、前記時計ケース１はリング状のケース本体７を備えており、このケース本体７の上部内側には２つの段部８、９が形成してあり、上側の段部８の垂直面部にはねじ部１０とこのねじ部１０の下方に位置する逃げ部１１とが形成してあり、上側の段部８の水平面部は押えリング載置部１２に成されている。また、下側の段部９の垂直面部は防水パッキン当接部１３に成されており、下側の段部９の水平面部はガラス支持面部１４に成されていて、このガラス支持面部１４にはリング嵌挿溝１５が形成してある。
【００１８】
また、前記ケース本体７の上部外側には段部状のレジスターリング取付部１６が形成してあり、このレジスターリング取付部１６の垂直面部の中間には係合突起１７が形成してあり、レジスターリング取付部１６の水平面部にはクリックばね装着凹部１８が形成してある。
【００１９】
前記風防ガラス４は、図１及び図２に示すようにその周部において円錐状の斜面部１９とこの斜面部１９に連らなる垂直面部２０とを有しており、そして、風防ガラス４の内面の周側は前記垂直面部２０に対して直角を成す平坦面部２１が形成してある。
【００２０】
また、前記ガラス固定機構５は、リング押え部材２２とガラス押えリング２３とリング状パッキン３２と０リング３３とを備えている。そして、前記リング押え部材２２は図１及び図３に示すようにリング状の部材本体２４を有しており、この部材本体２４の内周部は円錐状の斜面部２５に成されており、部材本体２４の外周部にはねじ部２６が形成してある。そして、部材本体２４の上部には回転治具挿入凹部２７が、下部には段状の押え面部２８がそれぞれ形成してある。
【００２１】
また、前記ガラス押えリング２３は、図１及び図４に示すようにリング本体２９を有しており、このリング本体２９の内周部は前記風防ガラス４の斜面部１９を同じ角度の円錐状の斜面部３０に成されており、リング本体２９の上部には段状の被押え面部３１が形成してある。このガラス押えリング２３の材料は、テフロン（弗素樹脂）、ナイロン（ポリアミド樹脂）、ウレタン（ウレタン樹脂）、ＮＢＲ（ニトリルゴム）、デルリン、ジュラコン（ポリアセテール）、ペルプレン（ポリエチレンテレフタート）、ゴム又は合成ゴム等が使用される。
【００２２】
また、前記レジスターリング６はリング本体３４を有しており、このリング本体３４の内周部には、これの垂直面部３５に対して略直角を成す庇部３６が内方に向かって形成してあり、この庇部３６の内周は円錐状の斜面部３７に成されている。前記垂直面部３５にはリング溝部３８と係合突起部３９とが形成してあり、リング本体３４の下面部にはクリックばね係合歯部４０が形成してある。
【００２３】
そして、前記時計ケース１のリング嵌挿溝１５には前記０リング３３が嵌挿してあり、前記防水パッキン当接部１３には前記リング状パッキン３２が沿わせてある。また、前記風防ガラス４は、これの平坦面部２１を前記ガラス支持面部１４に載せると共に、その垂直面部２０を前記リング状パッキン３２に圧接させて前記時計ケース１に組み込まれている。
【００２４】
そして、前記時計ケース１の押えリング載置部１２には前記ガラス押えリング２３が載置してあり、このガラス押えリング２３の内周部の円錐状の斜面部３０が前記風防ガラス４の円錐状の斜面部１９に圧接している。また、前記リング押え部材２２が、その外周部のねじ部２６を前記時計ケース１のねじ部１０に螺合して組み込まれていて、このリング押え部材２２を、その回転治具挿入凹部２７に挿入した回転治具（図示省略）の回転操作で捩じ込むことにより、段状の押え面部２８を前記ガラス押えリング２３の段状の被押え面部３１に圧接させてこのガラス押えリング２３を上から押圧している。また、このガラス押えリング２３が上下方向に圧縮されて半径方向に伸びていて、前記斜面部３０の前記風防ガラス４の斜面部１９への圧接（径方向及び軸方向への圧接）を維持し、高気圧防水を確実なものにしている。
【００２５】
上記のように前記ガラス押えリング２３が上下方向に圧縮されて半径方向に伸びるために、このガラス押えリング２３の外周部は外方に変位しており、この変位分が前記逃げ部１１が吸収している。
【００２６】
そして、前記ケース本体７のレジスターリング取付部１６には前記レジスターリング６が回転可能に取り付けてある。すなわち、前記レジスターリング６は、そのリング溝部３８に０リング４２を嵌挿した状態でレジスターリング取付部１６に上から押し込まれることにより、前記係合突起部３９がレジスターリング取付部１６の係合突起１７に回転可能に係合されてレジスターリング取付部１６に取り付けられており、前記０リング４２がレジスターリング取付部１６の垂直面部に摺接している。また、前記レジスターリング６のクリックばね係合歯部４０は、前記クリックばね装着凹部１８に装着されたクリックばね４３に噛み合っている。
【００２７】
上記の実施例によれば、前記ガラス押えリング２３を前記リング押え部材２２で押えて、このガラス押えリング２３の前記斜面部３０を前記風防ガラス４の前記斜面部１４に圧接させたことにより、高気圧防水を確実なものにすることができる。
【００２８】
しかも、前記風防ガラス４の前記ガラス押えリング２３により押えられる部位が、前記風防ガラス４の周部の円錐状の斜面部１９であるために、この押えられる部位において風防ガラス４の肉厚が極端に薄くなることがない。このために、風防ガラス４に割れが発生することがなくなり、風防ガラス４の強度を向上させることができる。また、前記風防ガラス４の前記ガラス押えリング２３により押えられる部位が円錐状の斜面部１９であるので、従来の風防ガラス４０のように段部４２を形成する必要がなく、この結果、研削量と加工する面数とが少なくなるため、加工性が極めて向上する。
【００２９】
（実施例２）
この実施例２の風防ガラス固定構造を図５に示す。この実施例２の風防ガラス固定構造が上記した実施例１の風防ガラス固定構造と異なるところは、前記リング押え部材２２を前記レジスターリング取付部１６に取り付ける取付手段に前記ねじ部２６と前記ねじ部１０との螺合を使用せずに、前記レジスターリング取付部１６に設けた押え突起部４４を前記リング押え部材２２に食い付かせて、このいリング押え部材２２を押えるようにしたことである。
【００３０】
すなわち、前記レジスターリング取付部１６の内周部には押え突起部４４が形成してあり、また、前記リング押え部材２２の上面部の外側には段部からなる被押え部４５が形成してあって、前記押え突起部４４が被押え部４５を押えることにより、前記リング押え部材２２を介して前記ガラス押えリング２３の斜面部３０を前記風防ガラス４の斜面部１９に圧接させていて、高気圧防水を確実なものにしている。他の構成は実施例１の構成と同じである。
尚、前記リング押え部材２２の前記押え突起部４４への食い付かせ方は、リング押え部材２２の被押え部４５の下側斜面と、押え突起部４４の上側斜面とにより、リング押え部材２２の上側を押圧することによってなされる。
【００３１】
また、前記ガラス押えリング２３の前記時計ケース１の取り付けを、ねじ、圧入、カシメ、他の食い付き、溶接のいずれかで行うようにしてもよい。
【００３２】
【発明の効果】
以上説明したように、本発明に係わる時計の風防ガラス固定構造は、周部に円錐状の斜面部を形成した風防ガラスと、この風防ガラスの斜面部と同一の角度の円錐状の斜面部を有するガラス押えリングと、このガラス押えリングを押える押え手段とを備え、前記風防ガラスと前記ガラス押えリングとを時計ケースに組み込み、このガラス押えリングを前記押え手段で押えて、このガラス押えリングの前記斜面部を前記風防ガラスの前記斜面部に圧接させたことにより、高気圧防水を確実なものにすることができる。
【００３３】
しかも、前記風防ガラスの前記ガラス押えリングにより押えられる部位が、前記風防ガラス周部の円錐状の斜面部であるために、この押えられる部位において風防ガラスの肉厚が極端に薄くなることがない。このために、風防ガラスに割れが発生することがなくなり、風防ガラスの強度を向上させることができる。また、前記風防ガラスの前記ガラス押えリングにより押えられる部位が円錐状の斜面部であるので、従来の風防ガラスのように段部を形成する必要がなく、この結果、研削量と加工する面数とが少なくなるため、加工性が極めて向上する。
【００３４】
そして、前記押え手段が、前記時計ケースのねじ部に螺合されたリング押え部材であることにより、このリング押え部材を回転させて捩じ込むことにより前記ガラス押えリングを上下方向に圧縮して前記斜面部の前記風防ガラスの斜面部への圧接（径方向及び軸方向への圧接）を維持し、高気圧防水を確実なものにすることができる。
【００３５】
また、前記時計ケースに前記ガラス押えリングの径方向の変位を吸収する逃げ溝を設けることにより、前記ガラス押えリングが上下方向に圧縮されて半径方向に伸びて、このガラス押えリングの外周部が外方に変位するが、この変位分を前記逃げ部で吸収することができて、前記ガラス押えリングの上下方向の圧縮を可能にし、前記斜面部の前記風防ガラスの斜面部への圧接（径方向及び軸方向への圧接）を維持し、高気圧防水を確実なものにすることができる。
【００３６】
また、前記ガラス押えリングが、ねじ、圧入、カシメ、食い付き、溶接のいずれかで前記時計ケースに固定されることにより、高気圧防水を確実なものにする防風ガラスの固定が簡単になる。
【図面の簡単な説明】
【図１】本発明の風防ガラス固定構造（実施例１）を備えた腕時計の一部省略した断面図である。
【図２】風防ガラスの一部省略した断面図である。
【図３】リング押え部材の一部省略した断面図である。
【図４】ガラス押えリングの一部省略した断面図である。
【図５】本発明の風防ガラス固定構造（実施例２）を備えた腕時計の一部省略した断面図である。
【図６】（１）は従来の風防ガラス固定構造を備えた腕時計の一部省略した断面図である。
（２）は風防ガラスの押え部における割れ発生の説明図である。
【符号の説明】
４  風防ガラス
１９  斜面部
２２  リング押え部材
２３  ガラス押えリング
３０  斜面部
【図１】
0003541077.tif 000002
【図２】
0003541077.tif 000003
【図３】
0003541077.tif 000004
【図４】
0003541077.tif 000005
【図５】
0003541077.tif 000006
【図６】
0003541077.tif 000007